(57)【要約】【課題】筐体に対して着脱可能に取り付けられた蓋体３に無線通信用のアンテナが設置されている無線通信端末機において、蓋体３の内面に配備されている一対の電極41、41の腐食を抑制する。【解決手段】本発明に係る無線通信端末機は、電子部品が内蔵された本体と、該本体を収容する筐体と、該筐体に対して着脱可能に取り付けられた蓋体３とを具え、該蓋体３の内面に、前記アンテナと繋がる一対の電極41、41が配備される一方、前記本体には、一対の電極41、41と接触すべき一対の端子が配備されている。又、蓋体３の内面には、一対の電極41、41に近接し且つ両電極41、41を挟んで両側に、該電極41、41の表面よりも高く突出する少なくとも２つの突片32、32が形成されている。【選択図】図６
2014120981.tif 000002
【特許請求の範囲】
【請求項１】
電子部品が内蔵された本体と、該本体を収容する筐体と、該筐体に対して着脱可能に取り付けられた蓋体とを具え、該蓋体には無線通信用のアンテナが設置され、該蓋体の内面に、前記アンテナと繋がる一対の電極が配備される一方、前記本体には、前記一対の電極と接触すべき一対の端子が配備されている無線通信端末機において、
前記蓋体の内面には、前記一対の電極に近接し且つ両電極を挟んで両側に、該電極の表面よりも高く突出する少なくとも２つの突片が形成されていることを特徴とする無線通信端末機。
【請求項２】
前記アンテナは前記蓋体の内面に配備された近距離無線通信用のアンテナであって、該アンテナは、蓋体の内面に貼り付けられた電波遮断シートによって覆われており、該電波遮断シートの端縁が前記２つの突片に当接している請求項１に記載の無線通信端末機。
【発明の詳細な説明】
【技術分野】
【０００１】
本発明は、筐体に対して着脱可能に取り付けられた蓋体に無線通信用のアンテナが設置されている無線通信端末機に関するものである。
【背景技術】
【０００２】
近年、携帯電話機においては、電子マネー機能を実現するために、電話通信用のアンテナとは別に、近距離無線通信用のアンテナが設置されている(特許文献１)。
例えば、電子部品が内蔵された本体の電池室を塞ぐ蓋体に、近距離無線通信用のアンテナが設置され、該蓋体の内面に、前記アンテナと繋がる一対の電極が配備される一方、前記本体には、前記一対の電極と接触すべき一対の端子が配備されている。
【０００３】
該携帯電話機においては、筐体に蓋体を取り付けることによって、本体の一対の端子に蓋体の一対の電極が接触して、アンテナが本体の電子回路に接続され、アンテナが機能することになる。
【先行技術文献】
【特許文献】
【０００４】
【特許文献１】特開２０１１−４４７７８号公報
【発明の概要】
【発明が解決しようとする課題】
【０００５】
しかしながら、上記の携帯電話機においては、電池交換等のために蓋体を取り外した場合、蓋体の内面には一対の電極が露出しているため、この電極に指が触れることがあり、これによって電極に皮脂や塩分が付着し、その結果、電極が腐食して、端子との接触不良を生じる問題があった。
そこで本発明の目的は、簡易な構成で、蓋体の内面に配備されている一対の電極の腐食を抑制することが出来る無線通信端末機を提供することである。
【課題を解決するための手段】
【０００６】
本発明に係る無線通信端末機は、電子部品が内蔵された本体(１)と、該本体(１)を収容する筐体(２)と、該筐体(２)に対して着脱可能に取り付けられた蓋体(３)とを具え、該蓋体(３)には無線通信用のアンテナ(４)が設置され、該蓋体(３)の内面に、前記アンテナ(４)と繋がる一対の電極(41)(41)が配備される一方、前記本体(１)には、前記一対の電極(41)(41)と接触すべき一対の端子(11)(11)が配備されている。
ここで、前記蓋体(３)の内面には、前記一対の電極(41)(41)に近接し且つ両電極(41)(41)を挟んで両側に、該電極(41)(41)の表面よりも高く突出する少なくとも２つの突片(32)(32)が形成されている。
【０００７】
上記本発明の無線通信端末機においては、一対の電極(41)(41)の両側に少なくとも２つの突片(32)(32)が形成されているので、筐体(２)から蓋体(３)を取り外した状態で、該蓋体(３)の内面に露出する一対の電極(41)(41)に指が触れようとしても、２つの突片(32)(32)は電極(41)の表面よりも高く形成されているので、その指は突片(32)の先端に当たって電極(41)との接触が抑止される。これによって、一対の電極(41)(41)の腐食が抑制される。
【０００８】
具体的態様において、前記アンテナ(４)は蓋体(３)の内面に配備された近距離無線通信用のアンテナであって、該アンテナ(４)は、蓋体(３)の内面に貼り付けられた電波遮断シート(５)によって覆われており、該電波遮断シート(５)の端縁が前記２つの突片(32)(32)に当接している。
【０００９】
該具体的態様によれば、２つの突片(32)(32)が電極(41)に対する指の接触を抑止する機能を発揮すると共に、電波遮断シート(５)の位置決めを容易なものとする機能を発揮する。
【発明の効果】
【００１０】
本発明に係る線通信端末機によれば、蓋体の内面に少なくとも２つの突片を形成しただけの簡易な構成で、蓋体の内面に配備されている一対の電極の腐食を抑制することが出来る。
【図面の簡単な説明】
【００１１】
【図１】図１は、本発明の一実施形態である携帯電話機の斜視図である。
【図２】図２は、該携帯電話機の背面を示す斜視図である。
【図３】図３は、本体から蓋体を取り外した状態を示す斜視図である。
【図４】図４は、蓋体の内面から電波遮断シートを剥がした状態を示す斜視図である。
【図５】図５は、本体を裏返して該本体から蓋体を取り外した状態を示す斜視図である。
【図６】図６は、蓋体の要部を拡大して示す斜視図である。
【図７】図７は、本体の要部を拡大して示す斜視図である。
【図８】図８は、該携帯電話機を横方向に切断した断面図である。
【図９】図９は、図８のＡ部を拡大して示す断面図である。
【図１０】図１０は、該携帯電話機を縦方向に切断した断面図である。
【図１１】図１１は、図１０のＢ部を拡大して示す断面図である。
【発明を実施するための形態】
【００１２】
以下、本発明を携帯電話機に実施した形態につき、図面に沿って具体的に説明する。
本発明の一実施形態である携帯電話機は、図１及び図２に示す如く、ディスプレイ(10)及び電話通信回路等の電子回路を内蔵した本体(１)と、該本体(１)を収容する合成樹脂製の筐体(２)と、本体(１)の背面に着脱可能に取り付けられた合成樹脂製の蓋体(３)とを具えている。
本体(１)の背面には、図５に示す如く電池収容室(13)が凹設され、該電池収容室(13)には電源となる電池(６)が収容されている。
【００１３】
筐体(２)はＯリング等を用いた周知の防水構造を有している。
又、蓋体(３)の内面には、図４に示す如く、前記電池収容室(13)を包囲する様に延びるリブ(31)が突設され、該リブ(31)には、図１１に示す如く断面Ｕ字状の防水パッキン(７)が装着されている。従って、筐体(２)に蓋体(３)を取り付けることにより、防水パッキン(７)が本体(１)の表面に密着して、電池収容室(13)を含む空間が封止され、該空間に対する防水が図られる。
【００１４】
図４に示す如く、蓋体(３)の内面には、近距離無線通信用のアンテナ(４)がループ状に形成されると共に、該アンテナ(４)の近傍位置には、該アンテナ(４)に繋がる一対の電極(41)(41)が、左右に並べて配置されている。これらの電極(41)(41)は金メッキによって形成される。
【００１５】
そして、蓋体(３)の内面に形成されているアンテナ(４)は、図３に示す如く蓋体(３)の内面に貼着された電波遮断シート(５)によって覆われており、これによって、本体(１)側から発せられる電波がアンテナ(４)の性能に悪影響を及ぼすことが防止されている。
【００１６】
一方、本体(１)には、図５及び図７に示す如く一対の端子(11)(11)が突設されており、筐体(２)に蓋体(３)が取り付けられることによって、図８〜図１１に示す如く各端子(11)の先端が各電極(41)の表面に圧接される。この結果、アンテナ(４)が本体(１)に内蔵された電子回路(図示省略)に接続されることになる。
【００１７】
又、蓋体(３)の内面には、図３及び図４に示す如く、電極(41)の近傍位置に、フック片(33)が突設される一方、本体(１)の背面には、図５に示す如く、端子(11)の近傍位置に、フック受け片(12)が突設されており、筐体(２)に蓋体(３)が取り付けられることによって、フック片(33)がフック受け片(12)と係合して、端子(11)と電極(41)との圧接状態が安定的に維持される。
【００１８】
更に、蓋体(３)の内面には、図４及び図６に示す如く、一対の電極(41)(41)に近接し且つ両電極(41)(41)を挟んで左右両側に、電極(41)の表面よりも高く突出する一対の突片(32)(32)が、一体成型により形成されている。ここで、一対の突片(32)(32)は、その間隔が指の太さよりも小さく、且つ各突片(32)の電極(41)に沿う方向の長さが電極(41)の長さよりも大きく形成されている。
尚、筐体(２)に蓋体(３)を取り付けた状態で、蓋体(３)の突片(32)(32)が本体(１)と干渉しない様、本体(１)には逃げ部が形成されている。
【００１９】
上記携帯電話機によれば、図３に示す如く、一対の電極(41)(41)の左右両側に２つの突片(32)(32)が形成されているので、筐体(２)から蓋体(３)を取り外した状態で、該蓋体(３)の内面に露出する一対の電極(41)(41)に指が触れようとしても、２つの突片(32)(32)は電極(41)の表面よりも高く形成されているので、その指は両突片(32)(32)の先端に当たって両電極(41)(41)との接触が抑止される。これによって、電極(41)の腐食が抑制される。
【００２０】
又、一対の電極(41)(41)の側部には、突片(32)よりも高く突出するフック片(33)が形成されており、然も、一対の電極(41)(41)の近傍位置には、両電極(41)(41)に沿ってリブ(31)が延びているので、フック片(33)及びリブ(31)も、電極(41)に指が接触することを抑止する機能を発揮する。
【００２１】
又、上記携帯電話機によれば、２つの突片(32)(32)が、アンテナ(４)へ接近する方向に延びるリブ状に形成され、両突片(32)(32)の側端に電波遮断シート(５)の端縁が当接した状態で、電波遮断シート(５)が蓋体(３)の内面に貼着されている。
従って、組立工程において、電波遮断シート(５)を蓋体(３)の内面に貼着する際、電波遮断シート(５)の位置決めが容易なものとなる。
【００２２】
尚、本発明の各部構成は上記実施の形態に限らず、特許請求の範囲に記載の技術的範囲内で種々の変形が可能である。例えば突片(32)は２つ設ける構成に限らず、電極(41)(41)を包囲して３つ以上を設けることも有効である。又、アンテナ(４)は、近距離無線通信用のアンテナに限らず、その他の周知のアンテナであってもよい。
【符号の説明】
【００２３】
(１)  本体
(11)  端子
(２)  筐体
(３)  蓋体
(31)  リブ
(32)  突片
(33)  フック片
(４)  アンテナ
(41)  電極
(５)  電波遮断シート
【図１】
2014120981.tif 000003
【図２】
2014120981.tif 000004
【図３】
2014120981.tif 000005
【図４】
2014120981.tif 000006
【図５】
2014120981.tif 000007
【図６】
2014120981.tif 000008
【図７】
2014120981.tif 000009
【図８】
2014120981.tif 000010
【図９】
2014120981.tif 000011
【図１０】
2014120981.tif 000012
【図１１】
2014120981.tif 000013